(57)【要約】      （修正有）【課題】プレーヤの規則性を促進し、使用するゴルフクラブに関係なく、プレーヤが同じ感覚をえることができるように、一定の慣性モーメントおよび一定のスイングウェイトでゴルフクラブを調整する方法を提供する。【解決手段】ヘッド３を装着するシャフト２の近位端を通る軸に沿って実質的に同一の慣性モーメントを持つように該ヘッド３の質量を調整、および／または、該シャフト２の遠位端付近の該シャフト２の質量を調整するステップと、ゴルフクラブ１が実質的に同一のスイングウェイトを有するようにグリップ４の質量を調整、および／または、該シャフト２の該近位端付近の該シャフト２の質量を調整するステップを持つ調整方法とする。【選択図】図２
2020075120.tif 000002
【特許請求の範囲】
【請求項１】
シャフト（２）と、前記シャフトの近位端にあるヘッド（３）と、前記シャフトの遠位端にあるグリップ（４）とをそれぞれ備える一連のゴルフクラブ（１）を調整する方法であって、
・各ゴルフクラブが、前記シャフトの前記近位端を通る軸に沿って実質的に同一の慣性モーメントを持つように、各ゴルフクラブの前記ヘッドの質量を調整する、および／または各ゴルフクラブの前記シャフトの前記遠位端付近のシャフト質量を調整するステップと、
・各ゴルフクラブが実質的に同一のスイングウェイトを持つように、各ゴルフクラブの前記グリップの質量を調整する、および／または各ゴルフクラブの前記シャフトの前記近位端付近のシャフト質量を調整するステップと、を含む調整方法。
【請求項２】
各ゴルフクラブが実質的に同一のアドレス位置を持つように、各ゴルフクラブ（１）の前記シャフト（２）の長さを調整する、および／または各ゴルフクラブ（１）のライ角を調整することをさらに含む、請求項１に記載の調整方法。
【請求項３】
各ゴルフクラブ（１）の前記ヘッド（３）の質量の調整は、前記ヘッド（３）の少なくとも１つのチップウェイト（５）を追加または除去することにより行われる、請求項１または２に記載の調整方法。
【請求項４】
各ゴルフクラブ（１）の前記ヘッド（３）の質量の調整は、前記ヘッド（３）内に粉末、好ましくは金属粉末を追加または除去することにより行われる、請求項１から３のいずれか一項に記載の調整方法。
【請求項５】
各ゴルフクラブ（１）の前記シャフト（２）の前記遠位端付近の質量の調整は、前記シャフトの前記遠位端付近で前記シャフトに少なくとも１つのチップウェイトを追加または除去することによって行われる、請求項１から４のいずれか一項に記載の調整方法。
【請求項６】
各ゴルフクラブ（１）の前記グリップ（４）の質量の調整は、前記グリップを異なる質量を有するグリップと交換することにより行われる、請求項１から５のいずれか一項に記載の調整方法。
【請求項７】
各ゴルフクラブ（１）の前記グリップ（４）の質量の調整は、前記グリップ内で少なくとも１つのチップウェイトを追加または除去することにより行われる、請求項１から６のいずれか一項に記載の調整方法。
【請求項８】
各ゴルフクラブ（１）の前記シャフト（２）の前記近位端付近の質量の調整は、前記シャフト（２）の前記近位端付近で前記シャフトに少なくともチップウェイト（６）を追加または除去することによって行われる、請求項１から７のいずれか一項に記載の調整方法。
【請求項９】
請求項１から８のいずれか一項に記載の方法を使用して調整する一連のゴルフクラブ。
【請求項１０】
各ゴルフクラブの前記ヘッドがアイアンまたはウッドを備える、請求項９に記載の一連のゴルフクラブ。
【発明の詳細な説明】
【技術分野】
【０００１】
本発明は、ゴルフの分野に関する。より具体的には、本発明は、一連のゴルフクラブを調整する方法、およびこの方法を使用して調整された一連のゴルフクラブに関する。
【背景技術】
【０００２】
ゴルフでは、いくつかのゴルフクラブを使用する必要があり、これはクラブとも呼ばれる。各クラブは、シャフトと、シャフトの一端にありゴルフボールを打つためのヘッドと、シャフトの他端にありゴルフプレーヤがクラブを握るグリップとを備える。ゴルフクラブの中には、クラブのヘッドによって、ウッド、アイアン、パターの３つの主要な種類がある。通常、各プレーヤは複数のアイアンと複数のウッドを持っており、ゴルフボールを様々な距離に飛ばすことができる。通常、ゴルフプレーヤは６〜１１本のアイアンおよび２〜５本のウッドを持つ。
【０００３】
ゴルフクラブでボールを推進させるために行われる動作は、プレーヤにとって高い精度が要求される。プレーヤが使用するクラブに関係なくこの動きを繰り返すことができるように、どのクラブが使用されるかに関係なくプレーヤが同じ感覚を見出せるようにゴルフクラブを調整することが望ましい。
【０００４】
現在まで、ゴルフクラブの調整には様々な方法が使用されている。最も広く使用されている方法は、一定のスイングウェイトでプレーヤのゴルフクラブを調整することである。スイングウェイトは、ゴルフクラブの静的平衡を特徴付けるよく知られたゴルフパラメーターである。これは、スイングウェイトスケール（参照番号０２０７１１でＡＵＤＩＴＯＲによって販売されているＰｒｏｆｅｓｓｉｏｎａｌ  Ｄｉｇｉｔａｌ  Ｓｗｉｎｇｗｅｉｇｈｔ  Ｓｃａｌｅ、または参照番号０２０３２０でＡＵＤＩＴＯＲによって販売されているＣｌｕｂｍａｋｅｒ  Ｃｌａｓｓｉｃ  Ｓｗｉｎｇｗｅｉｇｈｔ  Ｓｃａｌｅなど）を使用して測定される。また、以下の例の数式［数式１］で詳細に説明されている式を使用して計算することも可能である。一部のプレーヤは、ヘッドの重量、または反対にグリップの重量を増やすことを好む場合がある。スイングウェイトは、この質量の静的分布を特徴付けるものである。各ゴルフクラブに一定のスイングウェイトを選択することにより、プレーヤは、スイングを開始する前にクラブを上げたときの開始位置で、それぞれのクラブで同様の感覚を感じることとなる。一定のスイングウェイトによるゴルフクラブの調整は、異なるクラブ間で一定のスイングウェイトを得るために、既定でヘッドの重量とシャフトの長さが異なるクラブを供給しているメーカーに好まれている。
【０００５】
一定の慣性モーメントでゴルフクラブを調整することも可能である。ゴルフクラブの慣性モーメントは、シャフトの近位端（つまり、グリップ側のシャフトの端）を通る軸に沿ったゴルフクラブの回転に対する抵抗を特徴付ける。慣性モーメントは、慣性モーメントスケール（参照番号０７０２０６でＡＵＤＩＴＯＲが販売しているＭＯＩ  Ｓｐｅｅｄ  Ｍａｔｃｈ  Ｓｙｓｔｅｍなど）を使用して測定される。また、以下の例の数式［数式２］で詳細に説明されている式を使用して計算することも可能である。各ゴルフクラブに一定の慣性モーメントを選択することにより、プレーヤはスイング中、特にバックスイングとダウンスイングの間の移行中およびリリース中に各クラブで同様の感覚を感じることになる。同じスイングウェイトおよび２つの異なる慣性モーメントを持つ２つのゴルフクラブの場合、プレーヤはスイングする前は同じ感覚を感じるが、運動中、特にバックスイングの終了とダウンスイング開始との間の移行中、ならびにゴルフボールを打つ前の重要なリリースの瞬間では異なる感覚を感じることになる。逆に、同じ慣性モーメントと２つの異なるスイングウェイトを持つ２つのゴルフクラブの場合、プレーヤは運動中は同じ感覚を感じるが、スイング前の開始位置で、クラブの重さを手にすると異なる感覚を感じることになる。
【０００６】
慣性モーメントの調整は、ゴルフクラブのヘッドの質量を変更することにより行われる。この変更は、体系的にスイングウェイトの変更を引き起こす。現時点では、一定の慣性モーメントと一定のスイングで一連のゴルフクラブを調整することを可能にする方法は知られていない。そのような調整により、ゴルフプレーヤは、開始位置と動作中の両方で、各クラブで均一な感覚を得られるようになるだろう。
【０００７】
したがって、本発明の目的の１つは、プレーヤの規則性を促進し、使用するゴルフクラブに関係なく、プレーヤが同じ感覚を得ることができるように、一定の慣性モーメントおよび一定のスイングウェイトでプレーヤのゴルフクラブを調整する方法を提案することである。
【発明の概要】
【０００８】
発明者は、シャフトの近位端付近の質量の変更がスイングウェイトの変更を引き起こすが、慣性モーメントはほとんど、またはまったく変わらないことに注目した。実際、慣性モーメントは、シャフトの近位端を通る軸に沿ったゴルフクラブの回転に対する抵抗を特徴付け、回転軸上またはその付近での質量の追加または除去は、回転の設定に影響を及ぼさない。本発明者は、この特徴を利用して、ゴルフクラブの慣性モーメントを変更することなくゴルフクラブのスイングウェイトを調整できるようにする。
【０００９】
したがって、本発明は、シャフトと、シャフトの近位端にあるヘッドと、シャフトの遠位端にあるグリップとをそれぞれ備える一連のゴルフクラブを調整する方法に関する。この方法は以下のステップを含む：
・各ゴルフクラブが、シャフトの近位端を通る軸に沿って実質的に同一の慣性モーメントを持つように、各ゴルフクラブのヘッドの質量を調整する、および／または各ゴルフクラブのシャフトの遠位端付近のシャフト質量を調整するステップ、そして
・各ゴルフクラブが実質的に同一のスイングウェイトを持つように、各ゴルフクラブのグリップの質量を調整する、および／または各ゴルフクラブのシャフトの近位端付近のシャフト質量を調整するステップ。
【００１０】
上記で詳細に説明したように、シャフトの近位端付近のシャフト質量の調整および／またはグリップの質量の調整は、クラブの慣性モーメントを修正することなく行われる。したがって、各ゴルフクラブのヘッドの質量の調整および／または各ゴルフクラブのシャフトの遠位端付近のシャフト質量の調整は、各ゴルフクラブのグリップの質量を調整する前に、および／または、各ゴルフクラブのシャフトの近位端付近のシャフト質量を調整する前に行われる。本発明による調整方法が終了すると、各ゴルフクラブが実質的に同一の慣性モーメントおよび実質的に同一のスイングウェイトを有する一連のゴルフクラブが得られる。当然、一連のゴルフクラブからのゴルフクラブの１つが基準とされ、このゴルフクラブは調整の対象にならない。これは一般的に、プレーヤに最適なゴルフクラブである。
【００１１】
慣性モーメントの調整は、ヘッドの質量を調整すること、および／またはシャフトの遠位端近くのシャフト質量を調整することによって行われる。一実施形態では、各ゴルフクラブのヘッドの質量を調整するために、少なくとも１つのチップウェイトがヘッドに追加または除去される。いくつかのゴルフヘッドは、通常、１つまたは複数のチップウェイトを挿入または取り外しできるキャビティを備えているため、ヘッドの質量を調整できる。これらのチップウェイトの質量は通常、数グラムである。一実施形態によれば、チップウェイトの質量は、２、３、４、５、６、７、８、９または１０ｇである。一実施形態では、各ゴルフクラブのヘッドの質量をより厳密に調整するために、粉末、好ましくはタングステン粉末などの金属粉末がヘッド、特にヘッドのキャビティに追加または除去される。一実施形態では、シャフトの遠位端付近のシャフト質量を調整するために、シャフトの遠位端付近で少なくとも１つのチップウェイトがシャフトに追加または除去される。このシャフトの遠位端は通常ヘッドの内部に入るため、シャフトとヘッド間の接続が可能になる。一実施形態によれば、そのようなチップウェイトの質量は、２、３、４、５、６、７、８、９または１０ｇである。
【００１２】
スイングウェイトの調整は、シャフトの近位端付近のシャフト質量を調整することによって、および／またはグリップの質量を調整することによって行われる。先に行われた慣性モーメントの調整を変更せずにスイングウェイトを変更するには、シャフトの近位端付近でのみクラブの質量を変更することが重要である。質量の変更がこの端部に近いほど、慣性モーメントの変更は少なくなる。一実施形態では、グリップの質量を調整するために、グリップは、異なる質量を備えたグリップに交換される。好ましくは、質量の差は、例えば異なる材料を使用することにより、グリップの近位端付近に位置する。あるいは、少なくとも１つのチップウェイトが、好ましくはグリップの近位端付近で、グリップに追加またはグリップから除去される。一実施形態によれば、チップウェイトの質量は、２、３、４、５、６、７、８、９または１０ｇである。一実施形態では、シャフトの近位端付近のシャフトの質量を調整するために、少なくとも１つのチップウェイトがシャフトの近位端付近のシャフトに追加またはシャフトから除去される。一実施形態によれば、チップウェイトの質量は、２、３、４、５、６、７、８、９または１０ｇである。一実施形態によれば、シャフトの近位端付近のシャフトにチップウェイトを追加することを可能にするために、中間スリーブが使用される。この中間スリーブは、シャフトの近位端に摩擦によって挿入され、１つまたは複数のチップウェイトを含む。
【００１３】
また、各ゴルフクラブが一定のアドレス位置を持つように自分のゴルフクラブを調整することはゴルファーにとって有利であり得る。したがって、一実施形態において、本発明による方法は、シャフトの長さおよび／またはライ角を変更することにより各ゴルフクラブのアドレス位置を調整することも含み、これにより各ゴルフクラブが実質的に同一のスイングウェイトおよび慣性モーメントを有するだけでなく、実質的に同一のアドレス位置を有する。各ゴルフクラブのアドレス位置を調整するこのステップは、各ゴルフクラブの慣性モーメントを調整する前に実行される。各ゴルフクラブのアドレス位置を調整するこのステップは、各ゴルフクラブのスイングウェイトを調整した後に実行することもできる。式［数式３］Ａ＝Ｌ×ｓｉｎ（Ｌｉ）により、ライ角とシャフトの長さの関数として、ゴルフクラブのアドレス位置を決定することができる。ここで、Ａはアドレス位置、Ｌは地面に対する相対的な高さ、Ｌｉは、ライ角である。これらのパラメーターは図５に示されている。
【００１４】
第２の態様によれば、本発明は、本発明による方法を使用して調整された一連のゴルフクラブにも関する。一実施形態では、一連のゴルフクラブは一連のアイアンである。一実施形態では、一連のゴルフクラブは一連のウッドである。
定義
【００１５】
「シャフトの近位端付近」とは、シャフトの長さに照らしてシャフトの近位端からわずかな距離（例えば、シャフトの近位端からの距離がシャフトの全長の２０％、１０％、５％、または好ましくは１％未満）、またはシャフトの近位端にあることを指す。
【００１６】
「シャフトの遠位端付近」とは、シャフトの長さに照らしてシャフトの遠位端からわずかな距離（例えば、シャフトの遠位端からの距離がシャフトの全長の２０％、１０％、５％、または好ましくは１％未満）、またはシャフトの遠位端にあることを指す。
【００１７】
「アドレス位置」とは、ヘッドが地面に接触しているときのゴルフクラブの高さを指す。
【００１８】
「遠位」とは、プレーヤがクラブを握っているときにプレーヤの手から最も遠い部分を指す。
【００１９】
「ライ角」とは、シャフトとクラブのヘッドのソールが形成する角度を指す。
【００２０】
「近位」とは、プレーヤがクラブを握っているときにプレーヤの手に最も近い部分を指す。
【００２１】
本発明の意味の範囲内の「一連のゴルフクラブ」とは、同じ種類に属する少なくとも２本のゴルフクラブを指す。言い換えれば、少なくとも２本のアイアンまたは少なくとも２本のウッド、好ましくは少なくとも３本のアイアンまたは少なくとも３本のウッド、さらに好ましくは少なくとも４本のアイアンまたは少なくとも４本のウッドである。一実施形態によれば、一連のゴルフクラブは、少なくとも２本のウッドと少なくとも２本のアイアン、少なくとも３本のアイアンと少なくとも３本のウッド、または少なくとも４本のアイアンと少なくとも４本のウッドを含むことができる。
【００２２】
「実質的に同一」とは、プラスまたはマイナス１％以内、好ましくはプラスまたはマイナス０．１％以内と同一であることを意味する。
【００２３】
「実質的に同一の慣性モーメント」とは、プラスまたはマイナス１％以内、好ましくはプラスまたはマイナス０．５％以内、さらに好ましくはプラスまたはマイナス０．１％以内と同一の慣性モーメントを意味する。
【００２４】
「実質的に同一のスイングウェイト」とは、１ポイント以内、好ましくは０．５ポイント以内、さらに好ましくは０．１ポイント以内と同一のスイングウェイト値（図１を参照）を意味する。
【００２５】
「実質的に同一のアドレス位置」とは、プラスまたはマイナス３ｍｍ以内、好ましくはプラスまたはマイナス２ｍｍ以内、さらに好ましくはプラスまたはマイナス１ｍｍ以内と同一のアドレス位置を意味する。
【００２６】
「スイングウェイト」とは、ゴルフクラブの静的平衡を指す。ゴルフクラブのこの静的平衡は、例えば、参照番号０２０７１１でＡＵＤＩＴＯＲによって販売されているＰｒｏｆｅｓｓｉｏｎａｌ  Ｄｉｇｉｔａｌ  Ｓｗｉｎｇｗｅｉｇｈｔ  Ｓｃａｌｅ、または参照番号０２０３２０でＡＵＤＩＴＯＲによって販売されているＣｌｕｂｍａｋｅｒ  Ｃｌａｓｓｉｃ  Ｓｗｉｎｇｗｅｉｇｈｔ  Ｓｃａｌｅによって測定することができる。
【図面の簡単な説明】
【００２７】
【図１】式［数式１］またはスイングウェイトスケールを使用して得られたスイングウェイト値の関数としてのスイングウェイトスケールを示す。
【図２】ゴルフクラブの概略図である。
【図３】チップウェイトを備えるゴルフヘッドの概略図である。
【図４】グリップの近位端と、チップウェイトが挿入されたシャフトの概略図である。
【図５】ゴルフクラブのアドレス位置（Ａ）、長さ（Ｌ）、およびライ角（Ｌｉ）を模式的に示す。
【発明を実施するための形態】
【００２８】
図２は、ヘッド（３）をグリップ（４）に接続するシャフト（２）を備えたゴルフクラブ（１）を示している。一連のゴルフクラブの各ゴルフクラブは、これら３つの要素を備えている。
【００２９】
上記のように、各ゴルフクラブが実質的に同一の慣性モーメントおよび実質的に同一のスイングウェイトを持つように一連のゴルフクラブを調整するために質量が調整される。当然、ゴルフクラブの１つが基準とされる。このクラブは、調整されない、または、使用者が希望する調整の対象となる場合がある。
【００３０】
まず第一に、各ゴルフクラブの慣性モーメントが実質的に同一になるように、各ゴルフクラブのヘッドの質量および／または各ゴルフクラブのシャフトの遠位端付近のシャフト質量が調整される。図３に示すように、ゴルフクラブのヘッド（３）にチップウェイト（５）を追加することで、この調整を行うことができる。好ましくは、図示されるように、このチップウェイトは、シャフト（２）とヘッド（３）とを接続する役割を果たすオリフィスの端部に導入される。一実施形態によれば、慣性モーメントは通常、１８００から２８００ｋｇ．ｃｍ２の値の範囲内に設定される。
【００３１】
慣性モーメントが調整されると、各ゴルフクラブのグリップの質量および／または各ゴルフクラブのシャフトの近位端付近のシャフト質量が調整され、各ゴルフクラブが実質的に同一のスイングウェイトを持つようになる。図４に示すように、この調整は、グリップ（４）の下のシャフトの近位端にあるシャフト（２）に第２のチップウェイト（６）を追加することで実行できる。スイングウェイトのこの調整は、一定の慣性モーメントで行われる。一実施形態によれば、スイングウェイトは通常、−１０から８のスイングウェイト値の範囲内、すなわち、Ｃ０からＤ８のスイングウェイトスケールの範囲内に設定される。
【００３２】
したがって、調整方法が終了すると、すべてが実質的に同一の慣性モーメントおよび実質的に同一のスイングウェイトを有する一連のゴルフクラブが得られる。
実施例
【００３３】
スイングウェイトの計算
【００３４】
例として、スイングウェイトは次のように計算できる（Ｃｏｍｐｕｔｉｎｇ  Ｈｅｆｔ、Ｔｈｅ  Ｔｕｔｌｅｍａｎ  ｓｉｔｅ  ２０１８年１０月８日、ｈｔｔｐｓ：／／ｗｗｗ．ｔｕｔｅｌｍａｎ．ｃｏｍ／ｇｏｌｆ／ｄｅｓｉｇｎ／ｓｗｉｎｇｗｔ２．ｐｈｐ）：
［数式１］
2020075120.tif 000003
ここで
・ＳＷは、最も近い単位に四捨五入されたスイングウェイトである
・Ｌｃはクラブの長さ（インチ）である
・Ｔは、クラブのヘッドの重量（グラム）である
・Ｓはシャフトの重量（グラム）である
・Ｇは、グリップの重量（グラム）である。
【００３５】
慣性モーメントの計算
【００３６】
例として、慣性モーメントは次のように計算できる（Ｃｏｍｐｕｔｉｎｇ  Ｈｅｆｔ、Ｔｈｅ  Ｔｕｔｌｅｍａｎ  ｓｉｔｅ  ２０１８年１０月８日、ｈｔｔｐｓ：／／ｗｗｗ．ｔｕｔｅｌｍａｎ．ｃｏｍ／ｇｏｌｆ／ｄｅｓｉｇｎ／ｓｗｉｎｇｗｔ２．ｐｈｐ）：
［数式２］
2020075120.tif 000004
ここで
・Ｌｃはクラブの長さ（インチ）である
・Ｔは、クラブのヘッドの重量（グラム）である
・Ｓはシャフトの重量（グラム）である
・Ｇは、グリップの重量（グラム）である。
【００３７】
スイングウェイトと慣性モーメントに対するグリップの重量の変化の影響の計算
【００３８】
長さ３８インチ（Ｌｃ）の５番アイアンの例を考えてみる。そのヘッドの重量（Ｔ）は２５４グラム、シャフトの重量（Ｓ）は９０グラム、グリップの重量（Ｇ）は５０グラムである。
【００３９】
このアイアンのスイング値は４で、慣性モーメントは４１０，５９６ｇ．ｉｎｃｈ２である。したがって、図１に示されているスイングウェイトスケールによれば、このアイアンのスイングウェイトはＤ４である。
【００４０】
グリップを変更すると仮定すると、６０グラム（または以前のグリップより１０グラム多い）のグリップの使用がスイングウェイトとアイアンの慣性モーメントに与える影響を計算することができる。
【００４１】
６０グラムのグリップで、スイングウェイト２と慣性モーメント４１０，６９６ｇ．ｉｎｃｈ２が得られる。したがって、このアイアンのスイングウェイトはＤ２（図１のスイングウェイトスケールを参照）であり、これは、知識のあるゴルフプレーヤにとって非常に微細な変動を表すが、慣性モーメントは実質的に変化しない（１００００あたり２の変動）。
【００４２】
これは、慣性モーメントを変更せずにスイングウェイトを目標値に調整するためには、シャフトの上部、グリップ付近またはグリップ上で重量を追加または削除するだけで十分であることを示しており、それはシャフト上部の先端プレートを追加または除去するか、グリップを変更することによって簡単に行われる。この方法により、すべてが実質的に同一のスイングウェイトおよび慣性モーメントを持つクラブのセットが得られる。
【００４３】
アドレス位置の調整
【００４４】
一連の９本のアイアンの例を考えてみると、そのうちの１本のアイアン（例えば、６番アイアンまたは７番アイアン）が基準アイアンとして用いられる。基準アイアンのアドレス位置が分かっており、シリーズの連続するアイアン間の長さの差、この例では３／８インチ、が分かっているため、式［数式３］による計算によってライ角を調整し、一定のアドレス位置、すなわち実質的に同一のアドレス位置を有する一連のゴルフクラブを得ることが可能である。
【図１】
2020075120.tif 000005
【図２】
2020075120.tif 000006
【図３】
2020075120.tif 000007
【図４】
2020075120.tif 000008
【図５】
2020075120.tif 000009
【外国語明細書】
2020075120000001.pdf